(57)【特許請求の範囲】
【請求項１】
既設建造物の表面と平行な板部を有する補強用部材がアンカーボルトにより既設建造物に固着され、この補強用部材を内包するコンクリート打設空間を形成する型枠板が当該補強用部材に連結されている補強用コンクリート型枠構造において、前記アンカーボルトは、補強用部材の前記板部を貫通してナット止めされ、当該アンカーボルトの前記板部から突出する先端ネジ軸部にセパレーター連結板をナット止めし、このセパレーター連結板に設けられたネジ孔部に、前記アンカーボルトと平行な向きのセパレーターの内端ネジ軸部を螺合連結し、このセパレーターの外端部に、前記型枠板の内、既設建造物の表面と平行な第一型枠板を支持させて成る、補強用コンクリート型枠構造。
【請求項２】
前記セパレーター連結板は、アンカーボルトの先端ネジ軸部が挿通するアンカーボルト挿通孔を備えた板材に、前記アンカーボルトの横側方位置で前記セパレーターの内端ネジ軸部を螺合貫通させる貫通ネジ孔を設けて成る、請求項１に記載の補強用コンクリート型枠構造。
【発明の詳細な説明】
【技術分野】
【０００１】
本発明は、既設建造物を補強する水平梁状や垂直柱状の補強用コンクリート構造物を既設建造物の表面に接して増築するための型枠構造に関するものである。
【背景技術】
【０００２】
既設建造物を補強する一つの方法として、特許文献１に記載されるように、既設建造物の梁や柱の外側に補強用帯状鉄板を、既設建造物に打ち込んだアンカーボルトに固着する方法などで既設建造物の表面から適当間隔を隔てて配設し、この補強用帯状鉄板を内包するように既設建造物の表面に沿って補強用の梁や柱を増設する補強方法が提案されている。具体的には、特許文献１に記載された型枠構造は、前記補強用帯状鉄板の両側辺にコ形クランプを嵌合固定し、このコ形クランプにセパレーターの内端をネジ結合し、当該セパレーターの外端部に型枠板を支持させるものであった。
【先行技術文献】
【特許文献】
【０００３】
【特許文献１】特開２００８−１６３６９７号公報
【発明の概要】
【発明が解決しようとする課題】
【０００４】
前記特許文献１に記載のように、従来の補強用コンクリート型枠構造では、既設建造物の表面と平行な型枠板は、当該既設建造物の外側にアンカーボルトを介して取り付けられる補強用帯状鉄板の両側辺にのみセパレーターを介して連結する構成であるため、増設する補強用コンクリート構造物の幅を広くするために幅広の補強用帯状鉄板を使用したとしても、既設建造物の表面と平行な幅広の型枠板の幅方向の中間位置をセパレーターで前記補強用帯状鉄板に連結支持させることができない。従って、既設建造物の表面と平行な幅広の型枠板の幅方向中間部が打設コンクリート圧によって外側へ膨らみ易く、高強度の型枠を組み立てることができなかった。
【課題を解決するための手段】
【０００５】
本発明は、上記のような従来の問題点を解消することのできる補強用コンクリート型枠構造を提案するものであって、請求項１に記載の本発明に係る補強用コンクリート型枠構造は、後述する実施例との関係を理解し易くするために、当該実施例の説明において使用した参照符号を括弧付きで付して示すと、既設建造物(2)の表面(2a)と平行な板部を有する補強用部材(3,27)がアンカーボルト(6a〜6c)により既設建造物(2)に固着され、この補強用部材(3,27)を内包するコンクリート打設空間を形成する型枠板(4,5)が当該補強用部材(3,27)に連結されている補強用コンクリート型枠構造において、前記アンカーボルト(6a〜6c)は、補強用部材(3,27)の前記板部を貫通してナット止めされ、当該アンカーボルト(6b)の前記板部から突出する先端ネジ軸部(7)にセパレーター連結板(14)をナット止めし、このセパレーター連結板(14)に設けられたネジ孔部(20)に、前記アンカーボルト(6b)と平行な向きのセパレーター(12)の内端ネジ軸部(12a)を螺合連結し、このセパレーター(12)の外端部に、前記型枠板(4,5)の内、既設建造物(2)の表面(2A)と平行な第一型枠板(4)を支持させた構成になっている。
【０００６】
上記本発明を実施する場合、具体的には請求項２に記載のように、前記セパレーター連結板(14)は、アンカーボルト(6B)の先端ネジ軸部(7)が挿通するアンカーボルト挿通孔(19)を備えた板材(18)に、前記アンカーボルト(6B)の横側方位置で前記セパレーター(12)の内端ネジ軸部(12a)を螺合貫通させる貫通ネジ孔(20)を設けたものとすることができる。
【発明の効果】
【０００７】
本発明の構成によれば、増設する補強用コンクリート構造物の幅を広くするために、補強用部材として幅広の帯状鉄板などを使用した場合、既設建造物の表面と平行な幅広の型枠板の幅方向の中間位置をセパレーターで前記補強用部材（帯状鉄板など）に連結支持させることができるので、既設建造物の表面と平行な幅広の型枠板の幅方向中間部が打設コンクリート圧によって外側へ膨らむ恐れがなくなり、高強度の型枠を組み立てることができる。しかも、当該補強用部材（帯状鉄板など）を取り付けるアンカーボルトにセパレーターを連結するものであって、当該補強用部材（帯状鉄板など）に溶接などでセパレーター連結部材を取り付ける場合と比較して、作業が容易で安価に実施することができる。
【０００８】
尚、請求項２に記載の構成によれば、１枚の板材に対する孔開け加工とネジ孔加工だけで、アンカーボルトにナット止めできるセパレーター連結板を構成できるので、本発明を一層安価に実施することができる。
【図面の簡単な説明】
【０００９】
【図１】水平梁状の補強用コンクリート構造物を築造する場合の型枠構造を示す縦断側面図である。
【図２】要部の拡大縦断側面図である。
【図３】使用するセパレーター連結版の斜視図である。
【図４】コ形クランプを使用したセパレーター連結部を示す縦断側面図である。
【図５】Ａ図は同コ形クランプの斜視図、Ｂ図は同コ形クランプと帯状鉄板とを示す横断平面図である。
【図６】他の実施例を示す縦断側面図である。
【図７】図６に示す実施例で使用されるコ形クランプ本体の縦断側面図である。
【図８】同コ形クランプ本体の平面図である。
【図９】同コ形クランプ本体の縦断正面図である。
【図１０】図６の要部の拡大縦断側面図である。
【発明を実施するための形態】
【００１０】
図１において、１は既設建造物２の表面２ａに接して水平梁状の補強用コンクリート構造物を築造する場合の型枠構造体であって、既設建造物２の表面２ａと平行に配置された帯状鉄板３、この帯状鉄板３の外側で既設建造物２の表面２ａと平行に配置された第一型枠板４、及び帯状鉄板３の下側で既設建造物２の表面２ａと直角向きの配置された第二型枠板５によって構成されている。
【００１１】
帯状鉄板３は、その幅方向の両側辺近傍位置と略中央位置の３箇所において、アンカーボルト６ａ〜６ｃにより既設建造物２に固定されている。各アンカーボルト６ａ〜６ｃは、帯状鉄板３の長さ方向に関して適当間隔おきに複数本が配設されており、それぞれ内端部が既設建造物２に埋設固着され、他端部には、帯状鉄板３を貫通するネジ軸部７を備え、全てのアンカーボルト６ａ〜６ｃのネジ軸部７には、帯状鉄板３が既設建造物２から離れる方向に移動するのを阻止する２段の押えナット８が螺合締結され、選択された適当な位置にあるアンカーボルト６ａ〜６ｃのネジ軸部７には、帯状鉄板３が既設建造物２に接近する方向に移動するのを阻止する２段の受けナット９が螺合締結されている。
【００１２】
第一型枠板４は、帯状鉄板３の幅方向両側辺に配置された第一セパレーター１０，１１と、帯状鉄板３の幅方向略中央位置に配置された第二セパレーター１２によって、帯状鉄板３に連結支持されている。これら第一セパレーター１０，１１及び第二セパレーター１２は、帯状鉄板３の長さ方向に適当間隔おきに複数本が配設されており、第一セパレーター１０，１１は、帯状鉄板３の両側辺３ａ，３ｂに外嵌固定されたコ形クランプ１３によって、第一型枠板４に対して直角向きに帯状鉄板３に結合されている。第二セパレーター１２は、帯状鉄板３を既設建造物２に取り付けているアンカーボルト６ａ〜６ｃの内、当該帯状鉄板３の幅方向略中央位置に位置するアンカーボルト６ｂに取り付けられたセパレーター連結板１４によって、前記第一セパレーター１０，１１と平行向きに帯状鉄板３に結合されている。第二型枠板５は、帯状鉄板３の側辺３ｂに連結された第三セパレーター１５を介して帯状鉄板３に連結支持されている。
【００１３】
各型枠板４，５は、各セパレーター１０〜１２，１５の外端部に従来周知の方法により結合されることにより帯状鉄板３に支持されると共に、これら型枠板４，５の外側に配設される押え枠材（図示省略）と共に型枠構造体１を構成するものであり、図示例では、水平梁状の補強用コンクリート構造物を築造する型枠構造体であるから、当該型枠構造体１で形成される内側のコンクリート打設空間は上側が開放されているが、垂直柱状の補強用コンクリート構造物を築造する型枠構造体であるときは、仮想線で示すように、第二型枠板５が帯状鉄板３の側辺３ａ側にも、第三セパレーター１５を介して支持され、周囲全体が閉じたコンクリート打設空間が、既設建造物２と第一型枠板４及び第二型枠板５とで形成される。
【００１４】
尚、第一セパレーター１０，１１と第三セパレーター１５を帯状鉄板３に連結する構成は、先に示した特許文献１に記載のものと同一であり、第一セパレーター１０，１１は、帯状鉄板３の両側辺３ａ，３ｂに嵌合固定されたコ形クランプ１３にそれぞれネジ結合により連結され、第三セパレーター１５は、第一セパレーター１０，１１を取り付けるための一対のコ形クランプ１３間に、帯状鉄板３の背面側（既設建造物２のある側）で当該帯状鉄板３の幅方向に沿って架設された連結ロッド（両端にネジ軸部を備えたセパレーターを利用）１６の一端又は両端に長ナット１７ａ，１７ｂを介して結合されている。
【００１５】
第二セパレーター１２をアンカーボルト６ｂに取り付けるためのセパレーター連結板１４は、図３に示すように、適当厚さの板材１８にアンカーボルト挿通孔１９とセパレーター連結用の貫通ネジ孔２０を設けたものであって、図２に示すように、帯状鉄板３から突出するアンカーボルト６ｂのネジ軸部７に螺嵌された２つの押えナット８間で、アンカーボルト挿通孔１９を利用して当該ネジ軸部７に嵌合させた状態のセパレーター連結板１４を挟持固定し、当該アンカーボルト６ｂから横側方に突出する貫通ネジ孔２０に第二セパレーター１２の内端ネジ軸部１２ａを螺合することにより、アンカーボルト６ｂと平行に第二セパレーター１２を帯状鉄板３に結合している。
【００１６】
先に述べたように、第一セパレーター１０，１１と第三セパレーター１５を帯状鉄板３に連結する構成は、先に示した特許文献１に記載のものと同一であるが、この構成を簡単に説明すると、使用されるコ形クランプ１３は、図４及び図５に示すように、嵌合凹部２１を備えたコ形両側板部２２ａ，２２ｂを前記帯状鉄板３の側辺３ａ，３ｂに対する嵌合方向と平行な連結板部２２ｃにより連結一体化して成る本体２３と、前記連結板部２２ｃに設けられた、当該連結板部２２ｃの長さ方向に並ぶ２つの貫通ネジ孔２４ａ，２４ｂの内、嵌合凹部２１側の貫通ネジ孔２４ａを螺合貫通する締結用ボルト２５とから構成されている。そして嵌合凹部２１に対して連結板部２２ｃのある側とは反対側において、コ形両側板部２２ａ，２２ｂから内向きに突設した突起部２６ａ，２６ｂにより、当該突起部２６ａ，２６ｂの内側で前記連結ロッド１６を支持できるように構成されている。
【００１７】
而して、上記構成のコ形クランプ１３を、その連結板部２２ｃが帯状鉄板３の外側（既設建造物２のある側とは反対側）に位置する向きで帯状鉄板３の両側辺３ａ，３ｂに嵌合凹部２１において嵌合させると共に締結用ボルト２５のねじ込みにより帯状鉄板３の両側辺３ａ，３ｂに固定し、第一セパレーター１０，１１の内端ネジ軸部１０ａ，１１ａをこれらコ形クランプ１３の貫通ネジ孔２４ｂに螺合連結する。そして、第三セパレーター１５を取り付ける位置にある一対のコ形クランプ１３には、連結ロッド１６を両コ形クランプ１３の突起部２６ａ，２６ｂの内側で帯状鉄板３の背面に沿わせて挿通させると共に、両コ形クランプ１３から突出する両端ネジ軸部１６ａに長ナット１７ａ，１７ｂを螺合締結して、当該連結ロッド１６を両コ形クランプ１３間に架設する。第三セパレーター１５は、その内端ネジ軸部１５ａを、コ形クランプ１３の外側に隣接している片側の長ナット１７ｂ又は両側の長ナット１７ａ，１７ｂの貫通ネジ孔の略半分の空き領域に螺合締結することにより、これら一対のコ形クランプ１３と連結ロッド１６を介して帯状鉄板３に結合される。尚、第一セパレーター１０，１１や第三セパレーター１５を帯状鉄板３に結合するための構成は、特に限定されるものではない。例えば、図４に仮想線で示すように、連結ロッド１６をコ形クランプ１３の連結板部２２ｃと帯状鉄板３との間でコ形両側板部２２ａ，２２ｂ間に挿通させても良い（この場合、締結用ボルト２５は連結ロッド１６を帯状鉄板３に押圧する）し、第一セパレーター１０，１１の内端ネジ軸部１０ａ，１１ａを締結用ボルト２５に代えて貫通ネジ孔２４に螺合して、当該第一セパレーター１０，１１で締結用ボルト２５を兼用させても良い。
【００１８】
図６は、帯状鉄板３に代えてＨ形鋼２７を補強用部材として使用した実施例を示している。このＨ形鋼２７は、両側フランジ部２８，２９間の中央板部３０が既設建造物２の表面２ａと平行になる向きに配置され、帯状鉄板３と同様に、中央板部３０の幅方向の両側辺近傍位置と幅方向の略中央位置の３箇所でアンカーボルト６ａ〜６ｃにより既設建造物２に固着されている。そして第一セパレーター１０，１１は、Ｈ形鋼２７の両側フランジ部２８，２９の両側辺２８ａ，２８ｂ及び２９ａ，２９ｂの内、既設建造物２に近い側の側辺２８ａ，２９ａに外嵌固定された第一コ形クランプ３１によって、両側フランジ部２８，２９と平行で且つ第一型枠板４に対して直角向きにＨ形鋼２７に結合されている。第二セパレーター１２は、アンカーボルト６ａ〜６ｃの内、Ｈ形鋼２７の両フランジ部２８，２９間の幅方向の略中央位置に位置するアンカーボルト６ｂに取り付けられたセパレーター連結板１４によって、前記第一セパレーター１０，１１と平行向きにＨ形鋼２７に結合されている。
【００１９】
第二型枠板５を支持する第三セパレーター１５は、Ｈ形鋼２７の両側フランジ部２８，２９の内、第二型枠板５に近い側のフランジ部２９の両側辺２９ａ，２９ｂに嵌合固定された第二コ形クランプ３２を介して、Ｈ形鋼２７に連結支持されている。尚、図６では、Ｈ形鋼２７のフランジ部２９側の第一セパレーター１１を当該フランジ部２９の側辺２９ａに結合する第一コ形クランプ３１は、手前の第三セパレーター１５をフランジ部２９の側辺２９ａに結合する第二コ形クランプ３２によって隠されており、仮想線で示す第三セパレーター１５をＨ形鋼２７のフランジ部２８の側辺２８ａに結合する第二コ形クランプ３２は、手前の第一セパレーター１０をＨ形鋼２７のフランジ部２８の側辺２８ａに結合する第一コ形クランプ３１によって隠されている。
【００２０】
第一セパレーター１０，１１をＨ形鋼２７に結合する第一コ形クランプ３１と、第二セパレーター１５をＨ形鋼２７に結合する第二コ形クランプ３２は同一構造のものであって、以下、その構造を図７〜図１０に基づいて説明すると、各クランプ３１，３２は、嵌合凹部３３を備えたコ形両側板部３４ａ３４ｂを前記Ｈ形鋼２７のフランジ部２８，２９の側辺２８ａ〜２９ｂに対する嵌合方向と平行な連結板部３４ｃにより連結一体化して成る本体３５と、前記連結板部３４ｃに設けられた、当該連結板部３４ｃの長さ方向に並ぶ２つの貫通ネジ孔３６ａ，３６ｂの内、嵌合凹部３３側の貫通ネジ孔３６ａを螺合貫通する締結用ボルト３７とから構成されている。そしてコ形両側板部３４ａ，３４ｂと連結板部３４ｃとで囲まれた空間内の嵌合凹部３３側の端部に固定された六角ナット３８によって、第一セパレーター１０，１１の内端ネジ軸部１０ａ，１１ａが螺合するネジ孔部３９が構成され、連結板部３４ｃの長さ方向に並ぶ２つの貫通ネジ孔３６ａ，３６ｂの内、嵌合凹部３３から離れた側の貫通ネジ孔３６ｂによって、第三セパレーター１５の内端ネジ軸部１５ａが螺合するネジ孔部が構成されている。
【００２１】
尚、六角ナット３８は溶接により固着しても良いが、この実施例では、コ形両側板部３４ａ，３４ｂに形成された係合孔４０ａ，４０ｂに六角ナット３８の対称位置にある角部を嵌合させると共に、当該六角ナット３８の一側辺を連結板部３４ｃの内側面に当接させることにより、当該六角ナット３８を自転不能な状態で本体３５の定位置に固定している。又、図７及び図９に仮想線で示すように、上記構成のコ形クランプのコ形両側板部３４ａ３４ｂに、先の実施例におけるコ形クランプ１３の突出部２６ａ，２６ｂを形成しておくことにより、この第二実施例のコ形クランプ３１，３２を先の実施例におけるコ形クランプ１３としても使用することができる。
【００２２】
上記構成のコ形クランプを第一コ形クランプ３１として使用するときは、図１０に示すように、コ形両側板部３４ａ，３４ｂの嵌合凹部３３をＨ形鋼２７のフランジ部２８，２９の側辺２８ａ，２９ａに外嵌させて締結用ボルト３７をねじ込み、フランジ部２８，２９の側辺２８ａ，２９ａの長さ方向任意の位置に固定する。そして第一セパレーター１０，１１の内端ネジ軸部１０ａ，１１ａを前記六角ナット３８で構成されたネジ孔部３９に螺合させれば良い。又、上記構成のコ形クランプを第二コ形クランプ３２として使用するときは、同様に、コ形両側板部３４ａ，３４ｂの嵌合凹部３３をＨ形鋼２７のフランジ部２８，２９の両側辺２８ａ〜２９ｂに外嵌させて締結用ボルト３７をねじ込み、フランジ部２８，２９の両側辺２８ａ〜２９ｂの長さ方向任意の位置に固定する。そして第三セパレーター１５の内端ネジ軸部１５ａを貫通ネジ孔３６ｂに螺合すれば良い。
【００２３】
以上のようにして組み立てられた図１に示す型枠構造体１、又は図６に示す型枠構造体１は、型枠板４，５で形成されたコンクリート打設空間内に帯状鉄板３又はＨ形鋼２７が補強部材として配置されており、当該補強部材は、既設建造物２にアンカーボルト６ａ〜６ｃを介して固着されているので、必要に応じて帯状鉄板３又はＨ形鋼２７の周囲に鉄筋を配設した上で、各型枠板４，５で形成されたコンクリート打設空間内にコンクリートを打設し、帯状鉄板３又はＨ形鋼２７を内蔵した水平梁状や垂直柱状の補強用コンクリート構造物を、既設建造物２の表面２ａに接して築造することができる。
【産業上の利用可能性】
【００２４】
本発明の補強用コンクリート型枠構造は、既設建造物の表面に接して水平梁状又は垂直柱状の補強用コンクリート構造物を築造する手段として活用できる。
【符号の説明】
【００２５】
１    型枠構造体
２    既設建造物
３    帯状鉄板
４    第一型枠板
５    第二型枠板
６ａ〜６ｃ    アンカーボルト
７    アンカーボルトのネジ軸部
８    押えナット
９    受けナット
１０，１１    第一セパレーター
１０ａ，１１ａ    第一セパレーターの内端ネジ軸部
１２    第二セパレーター
１２ａ    第二セパレーターの内端ネジ軸部
１３    コ形クランプ
１４    セパレーター連結板
１５    第三セパレーター
１５ａ    第三セパレーターの内端ネジ軸部
１６    連結ロッド
１７ａ，１７ｂ    長ナット
１８    板材
１９    アンカーボルト挿通孔
２０    貫通ネジ孔
２１，３３    嵌合凹部
２２ａ，２２ｂ，３４ａ，３４ｂ    コ形両側板部
２２ｃ，３４ｃ    連結板部
２３，３５    本体
２４ａ，２４ｂ，３６ａ，３６ｂ    貫通ネジ孔
２５，３７    締結用ボルト
２６ａ，２６ｂ    突起部
２７    Ｈ形鋼
２８，２９    Ｈ形鋼のフランジ部
３０    Ｈ形鋼の中央板部
３１    第一コ形クランプ
３２    第二コ形クランプ
３８    六角ナット
３９    ネジ孔部
４０ａ，４０ｂ    係合孔
【図１】
0005460368.tif 000002
【図２】
0005460368.tif 000003
【図３】
0005460368.tif 000004
【図４】
0005460368.tif 000005
【図５】
0005460368.tif 000006
【図６】
0005460368.tif 000007
【図７】
0005460368.tif 000008
【図８】
0005460368.tif 000009
【図９】
0005460368.tif 000010
【図１０】
0005460368.tif 000011